(57)【特許請求の範囲】
【請求項１】
両開きドアのドア本体の戸先側端部に取付けられる定規縁において、
前記ドア本体の戸先側端部のコーナー部に固定される樹脂製のベース部材と、そのベース部材に組み合わされてベース部材に被せる樹脂製のカバー部材とを備え、
前記ベース部材は、そのベース部材をドア本体に固定する固定部と、そのベース部材を固定するドア本体と対をなすドア本体の戸先側端部を受けるドア受部とを有し、
前記ドア受部は、前記固定部から、前記対をなすドア本体側に延出して形成され、
前記ベース部材は、その両側に、ドアの見付け面から離れる方向に延出させた延出部を有すると共に、前記カバー部材は、その両側に、前記ベース部材の両側の延出部をそれぞれ覆う延出部を有し、
前記カバー部材の両側の延出部の間に、前記ベース部材側に延出させて形成された係止爪を有すると共に、前記ベース部材に、前記係止爪を係止させる係止受部を有し、
前記係止爪と前記係止受部は、見付け面方向において、前記ドア受部よりも前記固定部側に配置されることを特徴とする定規縁。
【請求項２】
請求項１に記載の定規縁において、
前記カバー部材は前記係止爪を２条備え、
前記２条の係止爪は、前記ベース部材の前記係止受部に係止させる係止部の向きが互いに反対側に突出するように設けられ、
前記ベース部材に、前記２条の係止爪をそれぞれ係止させる係止受部が、互いに対向するように設けられていることを特徴とする定規縁。
【請求項３】
請求項１または２に記載の定規縁において、
前記ベース部材のドア本体への前記固定部と前記ドア受部との間に、ドア本体から離れる方向に立ち上げた立上部を有し、
前記立上部に、前記係止受部を備えたことを特徴とする定規縁。
【請求項４】
請求項１から３までのいずれか１項に記載の定規縁において、
前記ベース部材の両側に設ける延出部のうち、一方の延出部は、前記ドア受部の対をなすドア本体側の端部に形成され、
前記ベース部材の前記一方の延出部またはその延出部を覆う前記カバー部材の延出部の少なくともいずれか一方に、前記ベース部材の延出部に対して前記カバー部材の延出部を滑り止めする軟質樹脂またはゴムからなる滑り止め部を、前記ベース部材または前記カバー部材と一体に備えたことを特徴とする定規縁。
【請求項５】
請求項１から４までのいずれか１項に記載の定規縁において、
前記ベース部材の両端に設ける延出部のうち、一方の延出部は、前記ドア受部の端部から形成され、
前記ベース部材の前記ドア受部のドア受け面より、前記一方の延出部を覆うカバー部材の延出部のドア本体側端部が、ドア本体から離れた位置となるように前記ベース部材と前記カバー部材が組み合わされていることを特徴とする定規縁。
【請求項６】
請求項１から５までのいずれか１項に記載の定規縁が、対をなすドア本体のうちの少なくとも一方の召し合わせ部に取付けられていることを特徴とする両開きドア。
【発明の詳細な説明】
【技術分野】
【０００１】
本発明は、親子ドア等の両開きドアの召し合わせ部に取付けられる定規縁とそれを用いた両開きドアに関する。
【背景技術】
【０００２】
両開きドアにおいては、召し合わせ部の気密性保持、防音、閉じる時の衝撃緩和等を目的として、召し合わせ部の隙間を跨ぐように、ドア本体の戸先側端部に定規縁が取付けられる（特許文献１参照）。特許文献１に記載の定規縁は、ドア本体の戸先側端部に固定されるベース部材と、ベース部材に被せるカバー部材とにより構成される。そして、カバー部材の両側に、ドア本体側に延出させて形成した係止爪を有し、その両側の係止爪を、ベース部材の両側に形成した係止受部に係止させてベース部材に取付ける構造を有する。
【先行技術文献】
【特許文献】
【０００３】
【特許文献１】特許第４８４５４４５号公報
【発明の概要】
【発明が解決しようとする課題】
【０００４】
しかしながら、前述した従来の定規縁は、ドアを閉める際の衝撃がベース部材を介してカバー部材のドア受部側の側部に加わり易く、衝撃によりカバー部材が変形してベース部材から外れるおそれがある。また、カバー部材の外れを防止するために、カバー部材をベース部材に対して強く結合させようとすると、カバー部材のベース部材に対する取付けが困難になるとう問題点がある。
【０００５】
本発明は、上記従来技術の問題点に鑑み、カバー部材が衝撃を受けてもベース部材から外れ難く、かつカバー部材のベース部材に対する取付けが容易になる定規縁とそれを用いた両開きドアを提供することを目的とする。
【課題を解決するための手段】
【０００６】
本発明の定規縁は、両開きドアのドア本体の戸先側端部に取付けられる定規縁において、
前記ドア本体の戸先側端部のコーナー部に固定される樹脂製のベース部材と、そのベース部材に組み合わされてベース部材に被せる樹脂製のカバー部材とを備え、
前記ベース部材は、そのベース部材をドア本体に固定する固定部と、そのベース部材を固定するドア本体と対をなすドア本体の戸先側端部を受けるドア受部とを有し、
前記ドア受部は、前記固定部から、前記対をなすドア本体側に延出して形成され、
前記ベース部材は、その両側に、ドアの見付け面から離れる方向に延出させた延出部を有すると共に、前記カバー部材は、その両側に、前記ベース部材の両側の延出部をそれぞれ覆う延出部を有し、
前記カバー部材の両側の延出部の間に、前記ベース部材側に延出させて形成された係止爪を有すると共に、前記ベース部材に、前記係止爪を係止させる係止受部を有し、
前記係止爪と前記係止受部は、見付け面方向において、前記ドア受部よりも前記固定部側に配置されることを特徴とする。
【０００７】
また、本発明の定規縁は、前記定規縁において、
前記カバー部材は前記係止爪を２条備え、
前記２条の係止爪は、前記ベース部材の前記係止受部に係止させる係止部の向きが互いに反対側に突出するように設けられ、
前記ベース部材に、前記２条の係止爪をそれぞれ係止させる係止受部が、互いに対向するように設けられていることを特徴とする。
【０００８】
また、本発明の定規縁は、前記定規縁において、
前記ベース部材のドア本体への固定部と前記ドア受部との間に、ドア本体から離れる方向に立ち上げた立上部を有し、
前記立上部に、前記係止受部を備えたことを特徴とする。
【０００９】
また、本発明の定規縁は、前記定規縁において、
前記ベース部材の両端に設ける延出部のうち、一方の延出部は、前記ドア受部の対をなすドア本体側の端部に形成され、
前記ベース部材の前記一方の延出部またはその延出部を覆う前記カバー部材の延出部の少なくともいずれか一方に、前記ベース部材の延出部に対して前記カバー部材の延出部を滑り止めする軟質樹脂またはゴムからなる滑り止め部を、前記ベース部材または前記カバー部材と一体に備えたことを特徴とする。
【００１０】
また、本発明の定規縁は、前記定規縁において、
前記ベース部材の両端に設ける延出部のうち、一方の延出部は、前記ドア受部の端部から形成され、
前記ベース部材の前記ドア受部のドア受け面より、前記一方の延出部を覆うカバー部材の延出部のドア本体側端部が、ドア本体から離れた位置となるように前記ベース部材と前記カバー部材が組み合わされていることを特徴とする。
【００１１】
本発明の両開きドアは、前記定規縁が、対をなすドア本体のうちの少なくとも一方の召し合わせ部に取付けられていることを特徴とする。
【発明の効果】
【００１２】
本発明の定規縁は、ベース部材に設けられる係止受部が、そのベース部材が取付けられるドア本体と対をなすドア本体に対するドア受部よりも固定部側に設けられており、その係止受部に対し、カバー部材に設けられた係止爪を係止させることにより、カバー部材がベース部材に固定されているので、カバー部材にドア本体が閉じる時の衝撃が加わった場合に、係止受部と係止爪との係止部には直接的には衝撃が加わらず、カバー部材のベース部材からの外れが防止される。
【００１３】
また、ベース部材の両側の延出部がカバー部材の両側の延出部で覆われ、カバー部材をベース部材に取付ける際に、カバー部材の延出部がベース部材の延出部にガイドされ、そのガイド作用により、カバー部材の係止爪は、ベース部材の係止受部に自動的に導かれるので、ベース部材に対するカバー部材の取付けが容易となる。
【図面の簡単な説明】
【００１４】
【図１】本発明による定規縁を適用する両開きドアの一例を室外側から見た図である。
【図２】本発明の定規縁の一実施の形態を示す横断面図である。
【図３】この実施の形態の定規縁の分解端面図である。
【図４】図２の部分拡大断面図である。
【図５】この実施の形態の作用説明図である。
【発明を実施するための形態】
【００１５】
図１は本発明による定規縁を適用する両開きドアの一例を室外側から見た図である。この両開きドアは、室内等に設置される親子ドアに例をとって示すものであり、１はドア枠２を構成する一方の縦枠２ａに蝶番３により開閉可能に取付けられた親扉のドア本体、４は他方の縦枠２ｂに蝶番５により開閉可能に取付けられ、親扉のドア本体１と対をなす子扉のドア本体である。６は子扉のドア本体４の召し合わせ部、すなわち戸先側端部の室内側に全長に亘って取付けられた定規縁である。
【００１６】
図２は本発明による定規縁６の一実施の形態を、子扉のドア本体４に取付けた状態で示す断面図である。図２において、７は子扉のドア本体４の戸先側の室内側端部４ａに取付けられるベース部材、８はベース部材７に被せて取付けられるカバー部材である。これらのベース部材７およびカバー部材８は樹脂成形材でなる。
【００１７】
ベース部材７は、子扉のドア本体４の戸先側の室内側端部４ａに固定するための固定部７ａを有する。この固定部７ａは、子扉のドア本体４の室内側見付け面４ｂに当てる見付け面部７ａ１と、子扉のドア本体４の見込み面４ｃに当てる見込み面部７ａ２を有する。９はベース部材７を子扉のドア本体４に固定する取付けねじである。
【００１８】
ベース部材７には、その固定部７ａにおける見込み面部７ａ２からドア本体４から離れる方向に立上げた立上部７ｂを有する。見込み面部７ａ２と立上部７ｂとは面一に形成される。７ｃは、親扉のドア本体１を閉じる際にその戸先側端部を受けるドア受部である。このドア受部７ｃは、ベース部材７の立上部７ｂの先端から親扉のドア本体１側に延出させて形成されている。７ｄはドア受部７ｃに形成された緩衝用のパッキンである。このパッキン７ｄは、軟質樹脂またはゴムからなるもので、ベース部材７との２色成形により設けられたものである。
【００１９】
ベース部材７の両側には、子扉のドア本体４の見付け面４ｂから離れる方向に延出させた２つの延出部７ｅ，７ｆを有する。一方の延出部７ｅは、固定部７ａにおける親扉のドア本体１の反対側端部に形成されている。また、他方の延出部７ｆは、ドア受部７ｃの先端部に形成されている。各延出部７ｅ，７ｆの先端には、カバー部材８の取付けを容易にするための傾斜面７ｇ，７ｈが形成されている。
【００２０】
図３に示すように、ベース部材７のドア受部７ｃ側の延出部７ｆの外側の見込み面には、カバー部材８の滑り防止のための軟質樹脂またはゴムからなる滑り止め部７ｉが形成されている。この滑り止め部７ｉは、ベース部材７との２色成形により、凹凸のある形状に形成されている。
【００２１】
カバー部材８は、見付け面部８ａの両側に、ベース部材７の両側の延出部７ｅ，７ｆをそれぞれ覆う延出部８ｂ，８ｃを有する。また、カバー部材８における両側の延出部８ｂ，８ｃの間に、ベース部材７側に突出させて形成された２条の係止爪８ｄ，８ｅを有する。これらの係止爪８ｄ，８ｅは、それぞれその各先端部に形成された係止部８ｄ１，８ｅ１が、互いに反対側に突出するように形成されている。また、各係止部８ｄ１，８ｅ１には、カバー部材８のベース部材７への取付けを容易化するための傾斜面８ｄ２，８ｅ２が形成されている。
【００２２】
一方、ベース部材７には、カバー部材８の係止爪８ｄ，８ｅを係止させるための係止受部７ｊ，７ｋが形成されている。各係止受部７ｊ，７ｋは、互いに対向する方向に突出するように形成されている。各係止受部７ｊ、７ｋには、カバー部材８のベース部材７への取付けを容易化するための傾斜面７ｍ，７ｎが形成されている。この実施の形態においては、各係止受部７ｊ，７ｋは、それぞれベース部材７の一方の延出部７ｅと、ドア受部７ｃを設けるための立上部７ｂに形成されている。８ｆはカバー部材８の外面を覆うように設けられた化粧シートである。
【００２３】
この定規縁の取付けは、まずベース部材７をねじ９により子扉のドア本体４の戸先側端部４ａに取付け、次にカバー部材８をベース部材７に組み合わせて取付ける。すなわち、カバー部材８の両側の延出部８ｂ，８ｃでベース部材７の両側の延出部７ｅ，７ｆを覆うように被せる。この時、カバー部材８の延出部８ｂ，８ｃが、ベース部材７の延出部７ｅの先端の傾斜面７ｇおよび延出部７ｆの先端の傾斜面７ｈにガイドされて、カバー部材８がベース部材７に結合される。
【００２４】
同時に、係止爪８ｄ，８ｅの傾斜面８ｄ２，８ｅ２が、それぞれ延出部７ｅの先端の傾斜面７ｍおよび立上部７ｂに設けた傾斜面７ｎに案内され、係止爪８ｄ，８ｅの有する弾性により、係止爪８ｄ，８ｅが変形しながら、これらの傾斜面７ｍ，７ｎに沿って滑りながら移動する。そして、係止爪８ｄ，８ｅの各係止部８ｄ１，８ｅ１がそれぞれ係止受部７ｊ，７ｋを超えると、係止爪８ｄ，８ｅが弾性によりもとの姿勢に復帰し、係止部８ｄ１，８ｅ１がそれぞれ係止受部７ｊ，７ｋに係止され、抜け止めされた状態でベース部材７にカバー部材８が結合される。
【００２５】
この取付け状態においては、図４に示すように、ベース部材７の延出部７ｆに設けられた滑り止め部７ｉにカバー部材８の延出部８ｃの内面が当接する。また、カバー部材８がベース部材７に取付けられた状態においては、カバー部材８の延出部８ｃの端部は、ドア受部７ｃのドア受け面７ｃ１から、ΔＷに示す例えば１ｍｍ程度の微小寸法だけ、親扉のドア本体１より遠ざかる位置にある。
【００２６】
このように、この実施の形態においては、ベース部材７の両側の延出部７ｅ，７ｆがカバー部材８の両側の延出部８ｂ，８ｃで覆われ、ベース部材７とカバー部材８とが、両側の延出部８ｂ，８ｃの間に設けられた係止爪８ｄ，８ｅと係止受部７ｊ，７ｋとの係止により抜け止めされる。また、係止爪８ｄ，８ｅ及び係止受部７ｊ，７ｋは、見付け面方向において、ドア受部７ｃよりも固定部７ａ側に配置されているので、カバー部材８にドア本体が閉じる時の衝撃が加わった場合に、係止受部７ｊ，７ｋと係止爪８ｄ，８ｅとの係止部には直接的には衝撃が加わらず、カバー部材８のベース部材７からの外れが防止される。
【００２７】
また、カバー部材８をベース部材７に取付ける際に、カバー部材８の延出部８ｂ，８ｃがベース部材７の延出部７ｅ，７ｆにガイドされ、そのガイド作用により、係止爪８ｄ，８ｅは、係止受部７ｊ，７ｋの傾斜面７ｍ，７ｎのガイド作用も伴って、係止受部７ｊ，７ｋに自動的に導かれるので、カバー部材８のベース部材７への取付けが容易化される。
【００２８】
また、この実施の形態においては、２条の係止爪８ｄ，８ｅを備え、２条の係止爪８ｄ，８ｅは、係止部８ｄ１，８ｅ１の向きが互いに反対側に突出するように設けられ、ベース部材７に、２状の係止爪８ｄ，８ｅを係止させる係止受部７ｊ，７ｋが、互いに対向するように設けられている。このため、図５にＦ１，Ｆ２に示すように、カバー部材８に対し、ベース部材７から外れる方向の力が作用した場合、係止爪８ｄ，８ｅには、Ｆ３，Ｆ４に示す方向、すなわち、係止爪８ｄ，８ｅが係止受部７ｊ，７ｋにより強く係止される方向の力が生じる。このため、この実施の形態においては、よりカバー部材８がより外れにくい構造となる。
【００２９】
また、この実施の形態においては、ベース部材７のドア本体４への固定部７ａとドア受部７ｃとの間に、ドア本体４から離れる方向に立ち上げた立上部７ｂを有し、その立上部７ｂに、係止受部７ｋを備えたので、構造が簡単となる。また、立上部７ｂとドア受部７ｃとの間はＬ字形をなす強度の高い部分であるため、強度の高い係止受部７ｋが形成される。
【００３０】
また、この実施の形態においては、ドア受部７ｃ側の延出部７ｆに、カバー部材８の延出部８ｃを滑り止めする軟質樹脂またはゴムからなる滑り止め部７ｉを一体に備えたので、カバー部材８のガタつきが防止されると共に、カバー部材８の外れがよりよく防止される。滑り止め部７ｉはカバー部材８の延出部８ｃに設けてもよい。
【００３１】
この実施の形態のように、ドア受部７ｃ側の延出部７ｆ、またはその延出部７ｆに対向するカバー部材８の延出部８ｃに滑り止め部７ｉを設ければ、ドア受部７ｃ側延出部７ｆは、親扉のドア本体１がパッキン７ｄに当接して変形しやすい部分であるため、固定部７ａ側である他方の延出部７ｅに滑り止め部７ｉを設けるよりも、ガタつき防止の点において有効な構成となる。
【００３２】
また、この実施の形態においては、図４に示すように、カバー部材８の延出部８ｃの先端部とドア受部７ｃのドア受け面７ｃ１との間にΔＷに示す間隔を設けたので、親扉のドア本体１を閉めた際に、親扉のドア本体１の戸先側端部がカバー部材８に当接するおそれがなく、カバー部材８の外れがよりよく防止される。
【００３３】
上記実施の形態は、カバー部材８の外れが生じにくい構造の定規縁６が提供できるため、子扉のドア本体４にのみ定規縁６を設けて召し合わせ部の気密性保持、防音、閉塞時の衝撃緩和の機能を発揮するように構成している。しかしながら、親扉のドア本体１側にも定規縁６を取付けてもよい。また、本発明の定規縁６は、親子扉からなる両開きドアのみならず、他の両開きドアにも適用できる。
【００３４】
その他、本発明を実施する場合、本発明の要旨を逸脱しない範囲において、構成部材やその組み合わせについて、種々の変更、付加が可能である。
【符号の説明】
【００３５】
１  親扉のドア本体
４  子扉のドア本体
６  定規縁
７  ベース部材
７ａ  固定部
７ｂ  立上部
７ｃ  ドア受部
７ｄ  パッキン
７ｉ  滑り止め部
７ｅ，７ｆ  延出部
７ｊ，７ｋ  係止受部
８  カバー部材
８ａ  見付け面部
８ｂ，８ｃ  延出部
８ｄ，８ｅ  係止爪
８ｄ１，８ｅ１  係止部
【図１】
0006689129.tif 000002
【図２】
0006689129.tif 000003
【図３】
0006689129.tif 000004
【図５】
0006689129.tif 000005
【図４】
0006689129.tif 000006